【手続補正書】
【提出日】平成19年12月14日(2007.12.14)
【手続補正１】
【補正対象書類名】明細書
【補正対象項目名】特許請求の範囲
【補正方法】変更
【補正の内容】
【特許請求の範囲】
【請求項１】
乾燥対象物を支持する装置であって、
ａ）  底板、及び該底板を取り囲む複数の側壁を有する水受け皿と、
ｂ）  前方端、及び前記水受け皿に回転自在に取り付けられている後方端を有する第１の調整自在なラックと、
ｃ）  前方端、及び前記水受け皿に回転自在に取り付けられている後方端を有する第２の調整自在なラックと、
ｄ）  前記第１の調整自在なラックに回転自在に接続される調整自在な支持棒とであって、前記調整自在な支持棒は前記第１の調整自在なラックの前記前方端の高さを回転により調整するものであるが、
ｅ）  前記第２の調整自在なラック及び前記調整自在な支持棒を所定位置に配置するように、前記第１の調整自在なラックをロックするものであって、前記水受け皿に接続されるロックと、
を含み、
前記第１の調整自在なラック、前記第２の調整自在なラック、及び前記調整自在な支持棒が、前記ロックにロックされると、前記水受け皿の前記複数の側壁のうち少なくとも１つの側壁を下にしてすわるように、この装置を傾斜させて立ち上げることができるように、この装置の重量バランスがとられていることを特徴とする装置。
【請求項２】
前記底板は、実質的に平面的に形成され、対象物を前記装置の上で乾燥させる際には略水平な軸に沿っており、また、前記第２の調整自在なラックを所定位置にロックして、前記側壁を下にして前記装置を傾斜させて立ち上げる際には、前記底板は略垂直な軸に沿っていることを特徴とする請求項１に記載の装置。
【請求項３】
前記水受け皿に接続され、前記装置を直立に支持する基部を更に含むことを特徴とする請求項１に記載の装置。
【請求項４】
前記基部は、前記水受け皿と一体的に形成された少なくとも一本の脚を有することを特徴とする請求項３に記載の装置。
【請求項５】
前記基部は、前記水受け皿に接続された一連の脚を含むことを特徴とする請求項３に記載の装置。
【請求項６】
前記一連の脚は、前記水受け皿に回転自在に接続されていることを特徴とする請求項５に記載の装置。
【請求項７】
前記ロックは、前記水受け皿に接続された留め具ブロックとして形成されていることを特徴とする請求項１に記載の装置。
【請求項８】
前記水受け皿に接続された支持ブロックを更に含み、この支持ブロックは、ステップ状の断面を有し、前記第１の調整自在なラック及び第２の調整自在なラックを支持することを特徴とする請求項７に記載の装置。
【請求項９】
前記水受け皿に接続された調整自在なトレイを更に含むことを特徴とする請求項１に記載の装置。
【請求項１０】
前記調整自在なトレイは、上板と、前記調整自在なトレイ及び前記水受け皿に接続された複数の調整自在な脚とを含んでいることを特徴とする請求項９に記載の装置。
【請求項１１】
前記複数の調整自在な脚は、前記水受け皿に回転自在に接続されていることを特徴とする請求項１０に記載の装置。
【請求項１２】
前記水受け皿は、前記水受け皿から液体を排出するための少なくとも１つの排水孔を有することを特徴とする請求項１に記載の装置。
【請求項１３】
前記水受け皿の内に設けられた一連の支持片を更に含み、前記調整自在な支持棒が前記支持片の１つの隣に配置され、前記支持片は、前記調整自在な支持棒を回転させないように保持し、前記第１の調整自在なラックを所定位置に保持することを特徴とする請求項１に記載の装置。
【請求項１４】
前記水受け皿の内に設けられた一連の支持隆起を更に含み、前記調整自在な支持棒が前記支持隆起上に配置されたとき、前記支持隆起は、前記第１の調整自在なラックから外へ延びる延長支持プラットフォームを形成するように、前記調整自在な支持棒を略水平な状態で支持することを特徴とする請求項１１に記載の装置。
【請求項１５】
前記調整自在なトレイ上の前記上板は、複数の器具を挿入するための一連の穴を有することを特徴とする請求項１４に記載の装置。
【請求項１６】
前記水受け皿に設けられた前記複数の側壁は、前記底板に略垂直に延びる後側壁を含むことを特徴とする請求項１に記載の装置。
【請求項１７】
前記水受け皿に設けられた前記複数の側壁は、前記底板から外へ延びる湾曲した後側壁を含むことを特徴とする請求項１に記載の装置。
【請求項１８】
前記湾曲した後側壁から外へ延びる複数の脚を更に含むことを特徴とする請求項１７に記載の装置。
【請求項１９】
対象物を乾燥する装置であって、
ａ）  底板、及び前記底板を取り囲む複数の側壁を有する水受け皿と、前記底板の上に設けられた一連の支持片と、
ｂ）  前方端、及び前記水受け皿に回転自在に取り付けられている後方端を有する第１の調整自在なラックと、
ｃ）  前方端、及び前記水受け皿に回転自在に取り付けられている後方端を有する第２の調整自在なラックと、
ｄ）  前記第１の調整自在なラックに回転自在に接続される調整自在な支持棒とであって、前記調整自在な支持棒は前記第１の調整自在なラックの前記前方端の高さを回転により調整するものであるが、
ｅ）  前記第２の調整自在なラック及び前記調整自在な支持棒を所定位置に配置するように、前記第１の調整自在なラックをロックするものであって、前記水受け皿に接続さるロックと、
ｆ）  前記水受け皿に接続された少なくとも一本の調整自在な脚及び前記少なくとも一本の調整自在な脚に接続されたプレート、ここで前記プレートは前記調整自在なトレイ内に乾燥用の用品を受けかつ保持するために一連の穴を有しているが、を含む調整自在なトレイと、
を含み、
前記第１の調整自在なラック、前記第２の調整自在なラック、前記調整自在な支持棒が、前記ロックにロックされ、前記調整自在なトレイが折り畳まれたときに、装置は、前記水受け皿の前記複数の側壁のうち少なくとも１つの側壁を下にしてすわるように、この装置を傾斜させて立ち上げることができるように、この装置の重量バランスがとられていることを特徴とする装置。
【手続補正２】
【補正対象書類名】明細書
【補正対象項目名】００４６
【補正方法】変更
【補正の内容】
【００４６】
装置に設けられている基部は所望の形状に形成することができるが、収納のため端部を下にして装置を直立させることができるように設計される。この基部は、短手軸４８に沿って延びる平坦な背面２１、短手軸１４８に沿って延びる湾曲背面１２１によって離隔された一対の脚１２１’、基部（不図示）に接続された独立プレート、一対の追加脚１９０あるいはカウンタートップ上の支持面を形成するその他の形状であってよいが、これらに限定されるものではない。
【手続補正３】
【補正対象書類名】明細書
【補正対象項目名】図５
【補正方法】変更
【補正の内容】
【図５】
2004500920.tif 000001
【手続補正４】
【補正対象書類名】明細書
【補正対象項目名】図８
【補正方法】変更
【補正の内容】
【図８】
2004500920.tif 000002
【手続補正５】
【補正対象書類名】明細書
【補正対象項目名】図９
【補正方法】変更
【補正の内容】
【図９】
2004500920.tif 000003
【手続補正６】
【補正対象書類名】明細書
【補正対象項目名】図１１
【補正方法】変更
【補正の内容】
【図１１】
2004500920.tif 000004
【手続補正７】
【補正対象書類名】明細書
【補正対象項目名】図１２
【補正方法】変更
【補正の内容】
【図１２】
2004500920.tif 000005
【手続補正８】
【補正対象書類名】明細書
【補正対象項目名】図１３
【補正方法】変更
【補正の内容】
【図１３】
2004500920.tif 000006